(57)【要約】      （修正有）【課題】保管性・運搬性に優れ、安価に製造でき、さらに、安定性に優れ、長時間安定して装飾品を装着することができる装飾品スタンドを提供する。【解決手段】装飾品スタンド１は、一枚のシートの折り畳みによって形成され、底板２と、底板２の前端縁２ａに前折曲線１１を介して接続された正面板３と、正面板３の右端縁３ａに右折曲線１２を介して接続された右側面板と、正面板３の左端縁３ｂに左折曲線１３を介して接続された左側面板６と、底板２の後端縁に後折曲線を介して接続された背面板７とからなる。右側面板及び左側面板６には、切れ目１６が形成され、当該切れ目１６に背面板７が差し込まれて組み立てられている。【選択図】図１
0003207141.tif 000002
【実用新案登録請求の範囲】
【請求項１】
一枚のシートの折り畳みによって形成される装飾品スタンドであって、底板と、
底板の前端縁に前折曲線を介して接続され、略直角以上に起立せしめられた正面板と、
正面板の右端縁に右折曲線を介して接続され、後方に折り曲げられた右側面板と、
正面板の左端縁に左折曲線を介して接続され、後方に折り曲げられた左側面板と、
底板の後端縁に後折曲線を介して接続され、略直角以上に折り曲げられた背面板とからなり、右側面板及び左側面板には、切れ目が形成されており、
右側面板及び左側面板の切れ目に前記背面板が差し込まれて組み立てられていることを特徴とする装飾品スタンド。
【請求項２】
前記切れ目は、底板の後端縁に向かって形成されていることを特徴とする請求項１記載の装飾品スタンド。
【請求項３】
前記正面板は、下端縁が底板の前端縁に前折曲線を介して接続され、下端縁から上端縁に向かって幅が狭くなる台形状に形成され、上端縁の幅が装飾リングの内径より狭く形成されていることを特徴とする請求項１又は２記載の装飾品スタンド。
【請求項４】
前記正面板は、下端縁の幅が装飾リングの内径より広く形成されていることを特徴とする請求項３記載の装飾品スタンド。
【請求項５】
右側面板及び左側面板は、略三角形状に形成され、頂点が正面板の上端縁に位置し、下端縁が底板に接触することを特徴とする請求項１乃至４のいずれか１項に記載の装飾品スタンド。
【請求項６】
前記背面板は、前記正面板より幅広に形成され、前記右側面板及び左側面板が略９０度以内に折り曲げられることを特徴とする請求項１乃至５のいずれか１項に記載の装飾品スタンド。
【請求項７】
正面板の上端縁には、装飾品を装着する一対の切れ目が形成されていることを特徴とする請求項１乃至６のいずれか１項に記載の装飾品スタンド。
【請求項８】
正面板には、装飾品を装着する一対の透孔が形成されていることを特徴とする請求項１乃至６のいずれか１項に記載の装飾品スタンド。
【考案の詳細な説明】
【技術分野】
【０００１】  本考案は、指輪、イヤリング、ピアス、ネックレス等の装飾品を装着して机上に載置することができる装飾品スタンドに関する。
【背景技術】
【０００２】  従来の装飾品スタンドには、一枚のシートを丸め、装飾品が指輪等の装飾リングである場合、装飾リングを装着して机上に載置するものが存在した（例えば、特許文献１）。
【先行技術文献】
【特許文献】
【０００３】
【特許文献１】特開２００６−３０５２６３号公報
【考案の概要】
【考案が解決しようとする課題】
【０００４】  上記従来の装飾品スタンドは、一枚のシートを丸めて立たせているだけなので、不安定であり、装飾品を装着した場合、倒れやすいという問題点があった。また、強度がないため、装飾品を長時間保持することが難しいという問題点があった。また、曲面であるため、広告・宣伝等の表示を形成しても見難いという問題点があった。【０００５】  本願考案は、上記問題点に鑑み案出したものであって、一枚のシートを折曲して組み立てることにより形成できるので、保管性・運搬性に優れ、安価に製造でき、さらに、安定性に優れ、長時間安定して装飾品を装着することができる装飾スタンドを提供することを目的とする。
【課題を解決するための手段】
【０００６】  本願請求項１記載の装飾品スタンドは、上記目的を達成するため、一枚のシートの折り畳みによって形成される装飾品スタンドであって、底板と、底板の前端縁に前折曲線を介して接続され、略直角以上に起立せしめられた正面板と、正面板の右端縁に右折曲線を介して接続され、後方に折り曲げられた右側面板と、正面板の左端縁に左折曲線を介して接続され、後方に折り曲げられた左側面板と、底板の後端縁に後折曲線を介して接続され、略直角以上に折り曲げられた背面板とからなり、右側面板及び左側面板には、切れ目が形成されており、右側面板及び左側面板の切れ目に前記背面板が差し込まれて組み立てられていることを特徴とする。【０００７】  本願請求項２記載の装飾品スタンドは、上記目的を達成するため、前記切れ目は、底板の後端縁に向かって形成されていることを特徴とする。【０００８】  本願請求項３記載の装飾品スタンドは、上記目的を達成するため、前記正面板は、下端縁が底板の前端縁に前折曲線を介して接続され、下端縁から上端縁に向かって幅が狭くなる台形状に形成され、上端縁の幅が装飾リングの内径より狭く形成されていることを特徴とする。【０００９】  本願請求項４記載の装飾品スタンドは、上記目的を達成するため、前記正面板は、下端縁の幅が装飾リングの内径より広く形成されていることを特徴とする。【００１０】  本願請求項５記載の装飾品スタンドは、上記目的を達成するため、右側面板及び左側面板は、略三角形状に形成され、頂点が正面板の上端縁に位置し、下端縁が底板に接触することを特徴とする。【００１１】  本願請求項６記載の装飾品スタンドは、上記目的を達成するため、前記背面板は、前記正面板より幅広に形成され、前記右側面板及び左側面板が略９０度以内に折り曲げられることを特徴とする。【００１２】  本願請求項７記載の装飾品スタンドは、上記目的を達成するため、正面板の上端縁に、装飾品を装着する一対の切れ目が形成されていることを特徴とする。【００１３】  本願請求項８記載の装飾品スタンドは、上記目的を達成するため、正面板に、装飾品を装着する一対の透孔が形成されていることを特徴とする。
【考案の効果】
【００１４】  本願考案に係る装飾品スタンドは、一枚のシートの折り畳みによって形成される。装飾品スタンドは、底板と、底板の前端縁に前折曲線を介して接続され、略直角以上に起立せしめられた正面板と、正面板の右端縁に右折曲線を介して接続され、後方に折り曲げられた右側面板と、正面板の左端縁に左折曲線を介して接続され、後方に折り曲げられた左側面板と、底板の後端縁に後折曲線を介して接続され、略直角以上に折り曲げられた背面板とからなる。右側面板及び左側面板には、切れ目が形成されており、右側面板及び左側面板の切れ目に前記背面板が差し込まれて組み立てられている。【００１５】  本願考案に係る装飾品スタンドは、一枚のシートを折曲して組み立てることにより形成できるので、保管性・運搬性に優れ、安価に製造でき、さらに、安定性に優れ、長時間安定して装飾品を装着することができるという効果がある。【００１６】  本願考案に係る装飾品スタンドは、前記切れ目が底板の後端縁に向かって形成されているので、背面板をスムーズに差し込むことができ、美的外観に優れているという効果がある。【００１７】  本願考案に係る装飾品スタンドは、前記正面板が下端縁が底板の前端縁に前折曲線を介して接続され、下端縁から上端縁に向かって幅が狭くなる台形状に形成され、上端縁の幅が装飾リングの内径より狭く形成されているので、指輪等の装飾リングを正面板に挿通して飾ることができるという効果がある。【００１８】  本願考案に係る装飾品スタンドは、前記正面板の下端縁の幅が装飾リングの内径より広く形成されているので、指輪等の装飾リングを正面板の途中で飾ることができるという効果がある。【００１９】  本願考案に係る装飾品スタンドは、右側面板及び左側面板は、略三角形状に形成され、頂点が正面板の上端縁に位置し、下端縁が底板に接触するので、安定して立たせることができるという効果がある。【００２０】  本願考案に係る装飾品スタンドは、前記背面板は、前記正面板より幅広に形成され、前記右側面板及び左側面板が略９０度以内に折り曲げられるので、正面板に装飾リングを装着すると、背面板が装飾リングの載置台となり、右側面板及び左側面板が装飾リングの内側から支持し、装飾リングを安定して保持することができるという効果がある。【００２１】  本願考案に係る装飾品スタンドは、正面板の上端縁に、装飾品を装着する一対の切れ目が形成されているので、一対の切れ目にネックレス、ピアス等の小物品を取り付けることができるという効果がある。【００２２】  本願考案に係る装飾品スタンドは、正面板に、装飾品を装着する一対の透孔が形成されているので、一対の透孔にピアス等の小物品を取り付けることができるという効果がある。
【図面の簡単な説明】
【００２３】
【図１】本願考案に係る装飾品スタンドの一つの形態を示す斜視図である。
【図２】図１の装飾品スタンドの展開図である。
【図３】図１の装飾品スタンドの正面図である。
【図４】図１の装飾品スタンドの側面図である。
【図５】図１の装飾品スタンドの背面図である。
【図６】本願考案に係る装飾品スタンドの他の形態を示す斜視図である。
【図７】図６の装飾品スタンドの背面図である。
【図８】図１の装飾品スタンドの使用状態を説明する斜視図である。
【図９】図６の装飾品スタンドの使用状態を説明する斜視図である。
【図１０】図６の装飾品スタンドの使用状態を説明する斜視図である。
【考案を実施するための形態】
【００２４】  以下、本願考案に係る装飾品スタンドを、図１乃至図５に基づいて詳細に説明する。装飾品スタンド１は、図２に示すように、一枚のシートＡの折り畳みによって形成される。シートＡは、紙、薄いプラスチック板等の薄い素材を切断装置によって切断して形成される。
【００２５】  シートＡは、底板２と、底板２の前端縁２ａに前折曲線１１を介して接続され、略直角以上に起立せしめられる正面板３と、正面板３の右端縁３ａに右折曲線１２を介して接続され、後方に折り曲げられる右側面板５と、正面板３の左端縁３ｂに左折曲線１３を介して接続され、後方に折り曲げられる左側面板６と、底板２の後端縁２ｂに後折曲線１４を介して接続され、略直角以上に折り曲げられる背面板７とからなる。右側面板５及び左側面板６には、切れ目１５，１６が形成されており、右側面板５及び左側面板６の切れ目１５，１６に前記背面板７が差し込まれて組み立てられている。
【００２６】  装飾品スタンド１は、シートＡを次のように折り曲げて組み立てられる。底板２の前折曲線１１を介して正面板３を略直角以上に起立せしめる。正面板３の右折曲線１２を介して右側面板５を後方に折り曲げる。正面板３の左折曲線１３を介して左側面板６を後方に折り曲げる。底板２の後折曲線１４を介して背面板７を略直角以上に折り曲げ、右側面板５及び左側面板６の切れ目１５，１６に背面板７を差し込む。
【００２７】  装飾品スタンド１は、一枚のシートＡで形成されているので、狭いスペースで大量に保管でき、持ち運びが便利であり、保管性及び運搬性に優れている。また、１回の切断工程で形成できるので、安価に製造できる。装飾品スタンド１は、一枚のシートＡを折曲して組み立てることにより形成でき、底板２の面接触により立たせることができる。従って、装飾品スタンド１は、安定性に優れ、長時間安定して装飾品を装着することができる。また、三角状に折り畳んでから一体化するため、強度があり、装飾品を長時間保持することができる。また、正面板３は、平面であるため、広告・宣伝等の表示を形成した場合、非常に見やすくなる。
【００２８】  装飾品スタンド１は、前記切れ目１５，１６が底板２の後端縁２ｂに向かって形成されているので、背面板７をスムーズに差し込むことができ、美的外観に優れている。
【００２９】  装飾品スタンド１の正面板３は、下端縁２１が底板２の前端縁２ａに前折曲線１１を介して接続され、下端縁２１から上端縁２２に向かって幅が狭くなる台形状に形成されている。正面板３は、上端縁２２の幅が指輪等の装飾リングの内径より狭く形成されているので、図８に示すように、指輪等の装飾リングを正面板に挿通して飾ることができる。
【００３０】  装飾品スタンド１は、正面板３の下端縁２１の幅が装飾リングの内径より広く形成されていると、指輪等の装飾リングを正面板３の途中で飾ることができる。
【００３１】  装飾品スタンド１の右側面板５及び左側面板６は、略三角形状に形成され、頂点５ａ，６ａが正面板３の上端縁２２両側に位置し、下端縁５ｂ，６ｂが底板２に接触するので、安定して立たせることができる。
【００３２】  装飾品スタンド１は、背面板７が、正面板３より幅広に形成され、右側面板５及び左側面板６が略９０度以内に折り曲げられるように形成すると、正面板３に装飾リングを装着した場合、図８に示すように、背面板７が装飾リングの載置台となり、右側面板５及び左側面板６が装飾リングの内側から支持し、装飾リングを安定して保持することができる。右側面板５及び左側面板６は、装飾リングの内径に合わせて正面板３に対する折り曲げ角度を調整することができる。
【００３３】  装飾品スタンド１は、図６，７に示すように、正面板３を長方形で幅広に形成し、正面板３の上端縁２２に、装飾品を装着する一対の切れ目２５，２６と、一対の切れ目２５，２６の先端に透孔２７，２８を形成しておいても良い。図９，１０に示すように、一対の切れ目２５，２６と一対の透孔２７，２８にネックレス、ピアス等の小物品を取り付けることができる
【産業上の利用可能性】
【００３４】  本願考案は、指輪、イヤリング、ピアス等の装飾品を装着して机上に載置することができる装飾品スタンドに利用可能である。
【符号の説明】
【００３５】Ａ  シート
１  装飾品スタンド
２  底板
３  正面板
５  右側面板
６  左側面板
７  背面板
１１  前折曲線
１２  右折曲線
１３  左折曲線
１４  後折曲線
１５  切れ目
１６  切れ目
２１  下端縁
２２  上端縁
２５  切れ目
２６  切れ目
２７  透孔
２８  透孔
【図１】
0003207141.tif 000003
【図２】
0003207141.tif 000004
【図３】
0003207141.tif 000005
【図４】
0003207141.tif 000006
【図５】
0003207141.tif 000007
【図６】
0003207141.tif 000008
【図７】
0003207141.tif 000009
【図８】
0003207141.tif 000010
【図９】
0003207141.tif 000011
【図１０】
0003207141.tif 000012